(57)【要約】【課題】ドアに対するアームストッパーの取付け作業が簡単に能率よく行えるドアのアームストッパー装置を提供する。【解決手段】アームストッパー１１の一端側をドア外枠１の上部横桟１２に対して摺動部材１３で移動可能となるよう枢止し、同他端側をドア２の上部横桟１４に固定した取付け金具１５に枢止し、アームストッパー１１でドア２の開度を一定角度に制限するようにしたドアのアームストッパー装置Ａにおいて、上記取付け金具１５に、一端側の両コーナ部分に突設され、ドア２の上部横桟１４に形成した金具収納溝２０内の両側に対して収める上向きの係止片２８と、上記金具収納溝２０への重なり面に突設され、金具収納溝２０の底部に設けた位置決め孔に対して係合する係止突部３０と、他端側の位置に形成され、金具収納溝２０の底部ねじ孔３１にねじ込む固定用ビス３２の挿通孔とが設けてあり、ドア２の上部横桟１４に対する取付け金具１５の固定が、一本の固定用ビス３２で行える。【選択図】　図３
2004068357.tif 000002
【特許請求の範囲】
【請求項１】
アームストッパーの一端側をドア外枠の上部横桟に対して移動可能となるよう枢止し、同他端側をドアの上部横桟に固定した取付け金具に枢止し、アームストッパーでドアの開度を一定角度に制限するようにしたドアのアームストッパー装置において、上記取付け金具を固定するドアの上部横桟が、取付け金具の幅が通過する上面の開口と、この開口の下部に開口よりも広幅となる金具収納溝とを有する断面形状に形成され、上記取付け金具に、一端側の両コーナ部分に突設され、金具収納溝内の両側に対して収める上向きの係止片と、金具収納溝への重なり面に突設され、金具収納溝の底部に設けた位置決め孔に対して係合する係止突部と、他端側の位置に形成され、金具収納溝の底部ねじ孔にねじ込む固定用ビスの挿通孔とを設けたことを特徴とするドアのアームストッパー装置。
【請求項２】
上記アームストッパーの他端側を枢止する取付け金具は、中間部が一段高くなるよう折り曲げ形成され、この中間部の高くなった位置にアームストッパーの他端側がピンで枢止されていることを特徴とする請求項１に記載のドアのアームストッパー装置。
【請求項３】
上記ドアの上部横桟に形成した開口から金具収納溝の内部で、アームストッパーの途中と対応する位置に、アームストッパーが開口から金具収納溝内へ落ち込むのを防ぐ垂れ止めプレートを嵌め込み固定したことを特徴とする請求項１又は２に記載のドアのアームストッパー装置。
【発明の詳細な説明】
【０００１】
【発明の属する技術分野】
この発明は、ドアの開度を一定角度に制限するためのアームストッパー装置に関する。
【０００２】
【従来の技術】
図６は、出入口の開閉を行うためのドアの構造を示し、建物側に固定されるドア外枠１の内部にドア２を収納し、このドア２の一方側端部が上下をドア外枠１にヒンジ機構３を用いて回転可能に枢止されている。
【０００３】
上記のようなドア２において、ドア２を開いた時アームストッパー装置Ａで必要以上の開度にならないようにすることが行われている。
【０００４】
上記アームストッパー装置Ａの基本的な構造は、アームストッパーの一端側を、ドア外枠の上部横桟に長さ方向へ移動可能となるよう取り付けた摺動金具に対して枢止し、同他端側をドアの上部横桟に固定した取付け金具に枢止し、ドアを開いた時にアームストッパーでドアの開度を一定角度に制限するものである。
【０００５】
従来のアームストッパー装置において、ドアの上部横桟に対するアームストッパーの取付けは、ドアの上部横桟を、取付け金具の幅が納まる金具収納溝が上面で開口するような断面形状に形成し、アームストッパーの他端側をピンで枢止した上記取付け金具の両端部にビス挿通孔を設け、金具収納溝内に取付け金具を収めて両端部のビス挿通孔を、金具収納溝の底部に設けたねじ孔に合わせ、ビス挿通孔から各ねじ孔にねじ込んだビスを締め付けることにより、上部横桟に取付け金具を固定するようにしている。
【０００６】
【発明が解決しようとする課題】
ところで、上記のような取付け構造は、二つのねじ孔に対してビス挿通孔を一致させ、各ねじ孔にビスをねじ込む必要があり、ドアの上端部でこのような位置合わせ作業は行いにくいだけでなく、二本のビスを順次ねじ込むために手間と時間がかかるという問題がある。
【０００７】
また、アームストッパー装置を組み込むためのスペースは、図４からも明らかなように極めて狭く、どうしてもドアの上部横桟の上端縁とアームストッパーの下面は接触が生じるような関係になり、このため、摺動金具の摩耗等により、経時的にアームストッパーに垂れ下がり状態が生じると、このアームストッパーがドアの上部横桟に形成した金具収納溝内に落ち込み、アームストッパーと上部横桟の干渉により、ドアの開放時にアームストッパー装置が破損するという事態が発生する。
【０００８】
そこで、この発明の課題は、ドアに対するアームストッパーの取付け作業が簡単に能率よく行えると共に、アームストッパーがドアの上部横桟に形成してある金具収納溝内に落ち込む事態の発生をなくすことができるドアのアームストッパー装置を提供することにある。
【０００９】
【課題を解決するための手段】
上記のような課題を解決するため、この発明は、アームストッパーの一端側をドア外枠の上部横桟に対して移動可能となるよう枢止し、同他端側をドアの上部横桟に固定した取付け金具に枢止し、アームストッパーでドアの開度を一定角度に制限するようにしたドアのアームストッパー装置において、上記取付け金具を固定するドアの上部横桟が、取付け金具の幅が通過する上面の開口と、この開口の下部に開口よりも広幅となる金具収納溝とを有する断面形状に形成され、上記取付け金具に、一端側の両コーナ部分に突設され、金具収納溝内の両側に対して収める上向きの係止片と、金具収納溝への重なり面に突設され、金具収納溝の底部に設けた位置決め孔に対して係合する係止突部と、他端側の位置に形成され、金具収納溝の底部ねじ孔にねじ込む固定用ビスの挿通孔とを設けた構成を採用したものである。
【００１０】
上記アームストッパーの他端側を枢止する取付け金具は、中間部が一段高くなるよう折り曲げ形成され、この中間部の高くなった位置にアームストッパーの他端側がピンで枢止されているようにしたり、ドアの上部横桟に形成した開口から金具収納溝の内部で、アームストッパーの途中と対応する位置に、アームストッパーが開口から金具収納溝内へ落ち込むのを防ぐ垂れ止めプレートを嵌め込み固定した構造とすることができる。
【００１１】
上記アームストッパーの他端側を枢止する取付け金具は、一枚の金属板を用いて山形に折り曲げ形成し、係止突部は下面側への打ち出しによって半球状に形成されている。
【００１２】
また、垂れ止めプレートは、合成樹脂を用い、金具収納溝に嵌まる幅で上面側に開口に納まる段部が設けられ、一方の側縁に、金具収納溝内への押し込み時に開口の側縁を弾力的に通過し、開口の側縁下面に係合する弾性係合片が一体に設けられている。
【００１３】
【発明の実施の形態】
以下、この発明の実施の形態を図示例と共に説明する。
【００１４】
図１乃至図４のように、この発明のアームストッパー装置Ａは、帯状金属板を用いたアームストッパー１１と、このアームストッパー１１の一端側をドア外枠１の上部横桟１２に対して枢止する摺動部材１３と、アームストッパー１１の他端側をドア２の上部横桟１４に対して枢止する取付け金具１５とで形成され、ドア２の上部横桟１４に取付ける垂れ止めプレート１６が別に用意されている。
【００１５】
上記ドア外枠１の上部横桟１２は、図４に示すように、下面で開口する溝１７を有し、この溝１７の内部で両側対向面に突条１８が設けられた断面形状の型材を用いて形成され、また、ドア２の上部横桟１４は、同図のように、上面の開口１９と、この開口１９の下部に開口よりも広幅となる金具収納溝２０とを有する断面形状の型材を用いて形成されている。
【００１６】
上記アームストッパー１１の一端側をドア外枠１の上部横桟１２に対して枢止する摺動部材１３は、溝１７内に嵌合する上向きコ字状で両側面に突条１８へ嵌まる水平の摺動溝２１を設けて形成され、上部横桟１２の長さ方向に移動自在になっていると共に、アームストッパー１１の一端側上面に突設した溝付き軸２２をこの摺動部材１３の縦孔に下面側から挿入し、溝付き軸２２の溝に嵌めた割り座金で抜け止めとすることにより、アームストッパー１１は溝付き軸２２を中心の回動と上部横桟１２の長さ方向に移動可能となるよう取付けられる。
【００１７】
上記アームストッパー１１の他端側をドア２の上部横桟１４に対して枢止する取付け金具１５は、図５（Ａ）と（Ｂ）のように、ドア２の上部横桟１４に設けた上面の開口１９に適合して通過する横幅を有する一枚の金属板を用い、上部横桟１４の長さ方向に沿って位置させる両端のベース部２３、２４の間に山部２５を折り曲げ形成し、この山部２５の上面に設けた孔２６にアームストッパー１１の他端側がピン２７で回動可能となるよう枢止されている。
【００１８】
上記取付け金具１５における一方ベース部２３の一端側の両コーナ部分に、金具収納溝２０内の両側に対して収める上向きの係止片２８が突設され、この一方ベース部２３の中央部で金具収納溝２０へ重なる下面に、金具収納溝２０の底部に設けた位置決め孔２９に対して係合する係止突部３０が打ち出し成形によって突設されている。
【００１９】
また、取付け金具１５における他方ベース部２４には、金具収納溝２０の底部に設けたねじ孔３１にねじ込む固定用ビス３２の挿通孔３３が設けられている。
【００２０】
上記垂れ止めプレート１６は、図５（Ｃ）、（Ｄ）のように、合成樹脂を用い、金具収納溝２０内に嵌まる幅を有する矩形板に形成され、両側縁は下面側から上面側への弧状傾斜面となり、上面側の一方側縁には、開口１９の一方側縁下面に係合する段部３４が設けられ、更に、他方の側縁には、金具収納溝２０内への押し込み時に開口１９の他方側縁を弾力的に通過し、開口１９の他方側縁下面に係合する弾性係合片３５が一体に設けられている。
【００２１】
この垂れ止めプレート１６は、ドア２の上部横桟１４に設けた開口１９の一方側縁下面に段部３４を係合させた状態で金具収納溝２０内へ向けて押し込むと、弾性係合片３５が開口１９の他方側縁を弾力的に通過し、垂れ止めプレート１６が金具収納溝２０内へ納まる状態で弾性係合片３５が開口１９の他方側縁下面に係合し、図５（Ｄ）のように、垂れ止めプレート１６の上面がドア２の上部横桟１４の上面と同一高さ面になり、開口１９から金具収納溝２０内へのアームストッパー１１の落ち込み発生を防止することになる。
【００２２】
なお、ドア２の上部横桟１４に対する垂れ止めプレート１６の取付けは、アームストッパー１１の中間から一端側の下に対応する位置に設定され、垂れ止めプレート１６の下面中央に設けた突起３６が金具収納溝２０の底部に設けた位置決め孔３７に対して係合することにより、上部横桟１４の長さ方向への固定が行われる。
【００２３】
この発明のアームストッパー装置は、上記のような構成であり、ドア２の上部横桟１４に対するアームストッパー１１の取付けは、上部横桟１４の金具収納溝２０の底部で取付け金具１５を固定する位置に、位置決め孔２９とねじ孔３１を予め設けておき、アームストッパー１１の他端側を枢止した取付け金具１５を上部横桟１４上に臨ませ、図５（Ａ）に一点鎖線のように一端側に設けた一対の係止片２８が下になるよう取付け金具１５を直立姿勢にし、取付け金具１５の一端側を開口１９から金具収納溝２０内に差し込み、その横幅方向を開口１９の幅方向に沿わせると、両側の係止片２８が金具収納溝２０内の両側に嵌まり込んで収まる。
【００２４】
このようにして、取付け金具１５の一端側を両側の係止片２８で上部横桟１４の金具収納溝２０に引っかけた状態で、図５（Ａ）の矢印のように、両側の係止片２８を支点にして取付け金具１５を金具収納溝２０内へ倒し、両端のベース部２３、２４を金具収納溝２０の底面に重ね、この時、一方ベース部２３の下面に突設した係止突部３０を位置決め孔２９に対して係合させると、ねじ孔３１と挿通孔３３が一致するよう位置決めされ、挿通孔３３からねじ孔３１に固定用ビス３２をねじ込めば、上部横桟１４に対する取付け金具１５の固定が完了する。
【００２５】
上記のように、上部横桟１４に対する取付け金具１５の固定が一本の固定用ビス３２の締め付けで行え、取付け金具１５の固定作業が簡単に能率よく行えると共に、図５（Ａ）のように、上部横桟１４に固定された取付け金具１５は、山部２５の上面が上部横桟１４の上面から僅かに突出することで、上部横桟１４に対するアームストッパー１１の干渉の発生はなく、上部横桟１４に対してアームストッパー１１は回動可能になる。
【００２６】
また、ドア２の上部横桟１４には、金具収納溝２０の内部でアームストッパー１１の下に位置する部分に垂れ止めプレート１６を嵌め込んで固定しておく。
【００２７】
このようにしてドア２の上部横桟１４に枢止したアームストッパー１１の一端側を、ドア外枠１の上部横桟１２に移動可能に取り付けた摺動部材１３に、溝付き軸２２で枢止することで取付け、これにより、アームストッパー１１は、ドア外枠１に対してドア２を枢止結合し、図２のように、ドア２の開放時に取付け金具１５に枢止した他端側がヒンジ３を支点に回動することで摺動部材１３がヒンジ３に向けて移動し、アームストッパー１１がドア外枠１とドア２間で突っ張り状となる位相でドア２の開度を制限することになる。
【００２８】
また、ドア２を閉じると摺動部材１３が押し戻され、図１のように、アームストッパー１１はドア１の上部横桟１４に平行し、ドア外枠１とドア２の上部横桟１２と１４間に納まることになる。
【００２９】
【発明の効果】以上のように、この発明のアームストッパー装置は、上記のような構成としたので、アームストッパーの端部をドアの上部横桟に枢止するための取付け金具の固定が、上部横桟に対して一本のビスの締め付けで行えることになり、ドアに対するアームストッパーの取付け作業が簡単に能率よく行えることになる。
【００３０】
また、ドアの上部横桟に垂れ止めプレートを嵌め込み固定することにより、アームストッパーがドアの上部横桟に形成してある金具収納溝内に落ち込むのを防ぐことができ、アームストッパー装置の破損発生が防止できる。
【図面の簡単な説明】
【図１】この発明のアームストッパー装置の使用状態を示すドアを閉じた横断平面図
【図２】この発明のアームストッパー装置の使用状態を示すドアの開いた横断平面図
【図３】この発明のアームストッパー装置の使用状態を示す図１の矢視ＩＩＩ−ＩＩＩに沿うドアを閉じた縦断正面図
【図４】図１の矢視ＩＶ−ＩＶに沿う拡大した縦断側面図
【図５】（Ａ）はアームストッパーの取付け金具をドアの上部横桟に対して固定する取付け構造を示す縦断正面図、（Ｂ）は取付け金具の斜視図、（Ｃ）は垂れ止めプレートの斜視図、（Ｄ）は垂れ止めプレートをドアの上部横桟に対して固定した取付け状態を示す図１の矢視Ｖ−Ｖに沿う縦断側面図
【図６】アームストッパー装置を使用したドアの正面図
【符号の説明】
Ａ　　アームストッパー装置
１　　ドア外枠
２　　ドア
３　　ヒンジ機構
１１　アームストッパー
１２　上部横桟
１３　摺動部材
１４　上部横桟
１５　取付け金具
１６　垂れ止めプレート
１７　溝
１８　突条
１９　開口
２０　金具収納溝
２１　摺動溝
２２　溝付き軸
２３　ベース部
２４　ベース部
２５　山部
２６　孔
２７　ピン
２８　係止片
２９　位置決め孔
３０　係止突部
３１　ねじ孔
３２　固定用ビス
３３　挿通孔
３４　段部
３５　弾性係合片
３６　突起
３７　位置決め孔
【図１】
2004068357.tif 000003
【図２】
2004068357.tif 000004
【図３】
2004068357.tif 000005
【図４】
2004068357.tif 000006
【図５】
2004068357.tif 000007
【図６】
2004068357.tif 000008